(57)【特許請求の範囲】
【請求項１】
室内熱交換器に送風する室内送風機と、
前記室内送風機を制御する送風機制御器と、
前記送風機制御器の温度を検出する温度検出手段と、
前記室内送風機を制御する信号を前記送風機制御器に送信する室内機制御器とを備え、
前記室内機制御器は、
前記温度検出手段により検出された温度が所定の温度を上回った場合に、前記室内送風機の周波数が第１の周波数を上回っているかどうかを判定し、前記室内送風機の周波数が前記第１の周波数を上回っていると判定した場合に、前記室内送風機の周波数が前記第１の周波数以下とならないよう低下させるように制御する信号を前記送風機制御器に送信し、
前記送風機制御器は、
前記室内機制御器から送信された信号に基づいて前記室内送風機を制御する
ことを特徴とする空気調和装置。
【請求項２】
圧縮機と、
前記圧縮機を制御する圧縮機制御器と、
前記圧縮機を制御する信号を前記圧縮機制御器に送信する室外機制御器とを備え、
前記室内機制御器は、
前記温度検出手段により検出された温度が前記所定の温度を上回った場合に、前記圧縮機の周波数を下げる指令を前記室外機制御器に送信し、
前記室外機制御器は、
前記室内機制御器から送信された指令を受信すると、前記圧縮機の周波数を第２の値だけ低下させるように制御する信号を前記圧縮機制御器に送信し、
前記圧縮機制御器は、
前記室外機制御器から送信された信号に基づいて前記圧縮機を制御する
ことを特徴とする請求項１に記載の空気調和装置。
【請求項３】
前記室外機制御器は、
前記室内機制御器から送信された指令を受信すると、前記圧縮機の周波数が第２の周波数を上回っているかどうかを判定し、前記圧縮機の周波数が前記第２の周波数を上回っていると判定した場合に、前記圧縮機の周波数が前記第２の周波数以下とならないよう低下させるように制御する信号を前記圧縮機制御器に送信し、
前記室内機制御器による判定は、前記温度検出手段により検出された温度が前記所定の温度以下になるまで繰り返され、
前記室内送風機の周波数が前記第１の周波数以下となった場合には、前記室内送風機の運転は停止される
ことを特徴とする請求項２に記載の空気調和装置。
【請求項４】
前記送風機制御器は、シリコンカーバイド素子で構成され、
前記所定の温度が２００℃に設定された
ことを特徴とする請求項１〜３のいずれか一項に記載の空気調和装置。
【発明の詳細な説明】
【技術分野】
【０００１】
この発明は、空気調和装置に関するものである。
【背景技術】
【０００２】
従来、電算室等に設置される空気調和装置において、プーリーとＶベルトを介してファンモーターにより送風機を駆動し、送風機の風量を一定にして運転を行うものが知られている。
【０００３】
また、従来、送風量を制御する制御装置から供給される電力により送風機の風量を変化させる（空気調和装置の吹出空気温度と吹出空気温度設定値との差に応じて室内送風機の風量を決定する）ものが開示されている（例えば、特許文献１）。
【先行技術文献】
【特許文献】
【０００４】
【特許文献１】特開平１０−３８３５０号公報（要約、図２）
【発明の概要】
【発明が解決しようとする課題】
【０００５】
従来の空気調和装置では、冷媒回路部品の一部が故障するなどの異常状態が発生した場合でも、様々な異常状態を回避するための制御方法を導入することで、運転を継続している。例えば、ある部位の温度を検出する温度検出手段が故障した場合には、別途設けられた温度検出手段により検出された温度により当該部位の温度を予測して、空気調和装置の制御を行うことで、運転を継続させている。
【０００６】
しかしながら、送風機や送風機の制御器に関してはこのような異常を回避するための制御が行われていない。例えば、送風機に異常が発生した場合には、送風機を一旦停止させた後に送風機を再起動する。送風機を再起動しても異常が解除されない場合には、異常であることを表示画面に表示し又はユーザーに異常状態が発生したことを報知して送風機を停止する。このため、空気調和装置の運転の安定性が低い状態となっていた。
【０００７】
本発明は、上記のような課題を解決するためになされたものであり、送風機又は送風機の制御器に異常が発生した場合でも、可能な限り運転を継続するように送風機又は送風機の制御器を制御して、空気調和装置の運転の安定性の低下を抑制することを目的とする。
【課題を解決するための手段】
【０００８】
本発明に係る空気調和装置は、室内熱交換器に送風する室内送風機と、前記室内送風機を制御する送風機制御器と、前記送風機制御器の温度を検出する温度検出手段と、前記室内送風機を制御する信号を前記送風機制御器に送信する室内機制御器とを備え、前記室内機制御器は、前記温度検出手段により検出された温度が所定の温度を上回った場合に、前記室内送風機の周波数が第１の周波数を上回っているかどうかを判定し、前記室内送風機の周波数が前記第１の周波数を上回っていると判定した場合に、前記室内送風機の周波数が前記第１の周波数以下とならないよう低下させるように制御する信号を前記送風機制御器に送信し、前記送風機制御器は、前記室内機制御器から送信された信号に基づいて前記室内送風機を制御するものである。
【発明の効果】
【０００９】
本発明の空気調和装置は、送風機又は送風機の制御器に異常が発生した場合でも、可能な限り運転を継続するよう送風機又は送風機の制御器を制御して、運転の安定性の低下を抑制できる。
【図面の簡単な説明】
【００１０】
【図１】本発明の実施の形態１における空気調和装置の構造図である。
【図２】本発明の実施の形態１における、空気調和装置の制御方法を示すフローチャートである。
【図３】本発明の実施の形態２における空気調和装置の構造図である。
【図４】本発明の実施の形態２における、空気調和装置の制御方法を示すフローチャートである。
【図５】本発明の実施の形態３における、空気調和装置の制御方法を示すフローチャートである。
【発明を実施するための形態】
【００１１】
実施の形態１．
図１は、本発明の実施の形態１における空気調和装置１００の構造図である。図２は、本発明の実施の形態１における、空気調和装置１００の制御フローチャートを示す。
【００１２】
まず、図１を用いて、本実施の形態１における、空気調和装置１００の構成を説明する。空気調和装置１００には室内機１が設けられている。室内機１には室内機ケーシング２が設けられている。室内機ケーシング２内には、室内熱交換器３、室内送風機４、室内機制御器５、送風機制御器６、放熱フィン７、温度検出手段８が設けられている。
【００１３】
室内機制御器５は汎用のＣＰＵ、データバス、入出力ポート、不揮発メモリ、タイマーなどを備えた演算装置で構成されている。室内機制御器５は、図示しない運転状態検出手段（後述する）からデータを読み込み、送風機制御器６に室内送風機４の風量を制御する信号を送信する。運転状態検出手段は、空気温度や冷媒温度を検出する温度検出手段及び冷媒圧力を検出する圧力検出手段で構成される。送風機制御器６は、室内送風機４の風量を制御する信号を室内機制御器５から受信して、受信した信号に対応する周波数で室内送風機４を駆動させるように制御する。放熱フィン７は、送風機制御器６に設けられている。温度検出手段８は、放熱フィン７に直接、又は上部近傍に取り付けられて、送風機制御器６の温度値Ｔ１を検出する。
【００１４】
次に、図２の空気調和装置１００の制御方法を示すフローチャートを用いて、空気調和装置１００の動作について説明する。
【００１５】
送風機制御器６に異常が発生すると放熱フィン７の温度が上昇し、上昇した放熱フィン７の温度が温度検出手段８により検出される。検出された温度値Ｔ１が、閾値Ｘ（例えばＸ＝１００℃）を超えた場合には（ステップＳ１１０でＹｅｓ）、室内機制御器５は、室内送風機４を一旦停止させた後に再度運転を開始するように制御する信号を送風機制御器６へ送信する（ステップＳ１２０）。送風機制御器６は、室内機制御器５から送信された信号に基づいて室内送風機４を制御する（ステップＳ１２０）。一方、検出された温度値Ｔ１が、閾値Ｘ（例えばＸ＝１００℃）以下の場合には（ステップＳ１１０でＮｏ）、室内送風機４の運転を継続する。
【００１６】
室内送風機４は、送風機制御器６により一旦運転が停止され、送風機制御器６により再度運転が開始される。その後、送風機制御器６の温度値Ｔ１が検出される。温度値Ｔ１が、閾値Ｘ（例えばＸ＝１００℃）を上回る場合には（ステップＳ１３０でＹｅｓ）、室内機制御器５は、異常が発生していることをリモコン（図示しない）に表示する（ステップＳ１４０）。そして、室内機制御器５は、室内送風機４の運転周波数を例えば２Ｈｚ（本願発明における第１の値に相当する）下げるように制御する信号を送風機制御器６へ送信する。送風機制御器６は、室内機制御器５から送信された信号に基づいて室内送風機４を制御する（ステップＳ１５０）。一方、再度運転が開始された後に検出された温度値Ｔ１が、閾値Ｘ（例えばＸ＝１００℃）以下の場合には（ステップＳ１３０でＮｏ）、室内送風機４の運転を継続する。
【００１７】
ステップＳ１５０で室内送風機４の運転周波数が下げられても、温度値Ｔ１が依然としてＸ℃を上回っている場合には（ステップＳ１６０でＹｅｓ）、空気調和装置１００の運転を異常停止させる。一方、温度値Ｔ１がＸ℃以下となった場合には（ステップＳ１６０でＮｏ）、室内送風機４の運転を継続する。
【００１８】
なお、本実施の形態１において、運転周波数を２Ｈｚ下げる構成としたことについて説明する。これは、室内送風機４の風量を低下させすぎると蒸発温度の低下に繋がり、室内機ケーシング２内に結露が生じるため、風量の低下は５％までしか許容できないためである。汎用誘導電動機では、運転周波数を２Ｈｚ下げることにより、室内送風機４の回転数が４０〜６０ｒｐｍ程度低下する。ここで、標準的な室内送風機４の回転数は１０００ｒｐｍ程度であるため、室内送風機４の回転数が４０〜６０ｒｐｍ程度低下すると、風量が５％低下することになる。
【００１９】
以上のように、本発明の実施の形態１に係る空気調和装置１００によれば、室内送風機４に異常が生じると、室内送風機４の運転周波数を低下させることで、送風機制御器６に流れる電流を低下させ、送風機制御器６の温度を低下させている。これにより、送風機制御器６に異常が生じても、直ちに空気調和装置１００を異常停止させることなく、冷房運転を継続することができる。
【００２０】
また、本実施の形態１に係る空気調和装置１００によれば、室内送風機４の運転周波数を低下させても温度値Ｔ１が閾値Ｘを上回っている場合には、空気調和装置１００を異常停止させる構成としている。これにより、送風機制御器６の保護をすることも可能である。
【００２１】
なお、本実施の形態１では、室内送風機４の運転周波数を２Ｈｚ下げる構成としているが、低下させる室内送風機４の運転周波数の数値はこれに限定されない。空気調和装置１００の構成によっては、室内送風機４の風量が１０％低下しても結露にならない場合もある。そのため、結露が発生しない限りで室内送風機４の運転周波数を下げてもよい（例えば、室内送風機４の運転周波数を４Ｈｚ下げる）。
【００２２】
また、本実施の形態１では、閾値Ｘを１００℃としたが、これに限定されない。温度検出手段８が取り付けられる位置によって閾値の温度は異なるため、室内送風機４のインバータを保護することができる温度であれば、閾値Ｘを１００℃以外の温度に設定してもよい。例えば、温度検出手段８が放熱フィン７の上部近傍に取り付けられている場合は、温度検出手段８が放熱フィン７に直接取り付けられた場合よりも低い温度が検出されることが想定される。そのため、閾値Ｘを１００℃よりも低い温度に設定してもよい（例えば閾値Ｘを９５℃に設定する）。
【００２３】
また、本実施の形態１では、室内機制御器５が、温度検出手段８により検出された値に基づいて生成された室内送風機４を制御する信号を送風機制御器６へ送信し、送風機制御器６が、室内機制御器５から送信された信号に基づいて室内送風機４を制御する構成としたが、これに限定されない。
例えば、室内送風機４の温度を検出する温度検出手段を設け、室内機制御器５は、この温度検出手段により検出された値に基づいて生成された室内送風機４を制御する信号を送風機制御器６へ送信し、送風機制御器６が、室内機制御器５から送信された信号に基づいて室内送風機４を制御する構成としてもよい。このとき、この温度検出手段により検出された温度値Ｔ２が閾値Ｙ（例えばＹ＝１３０℃）を超えると、室内機制御器５により異常が発生していることがリモコンに表示する。また、温度値Ｔ２が閾値Ｙ（例えばＹ＝１３０℃）を超えると、室内機制御器５は、室内送風機４の周波数を下げるように制御する信号を送風機制御器６へ送信する。
また、室内送風機４の電流値を検出する電流値検出手段を設け、室内機制御器５は、この電流値検出手段により検出された値に基づいて生成された室内送風機４を制御する信号を送風機制御器６へ送信し、送風機制御器６が、室内機制御器５から送信された信号に基づいて室内送風機４を制御する構成としてもよい。このとき、この電流値検出手段により検出された電流値Ｉ１が閾値Ｚ（例えばＺ＝２０Ａ）を超えると、室内機制御器５は、異常が発生していることをリモコンに表示する。また、電流値Ｉ１が閾値Ｚ（例えばＺ＝２０Ａ）を上回ると、室内機制御器５は、室内送風機４の周波数を下げるように制御する信号を送風機制御器６へ送信する。
【００２４】
また、本実施の形態１では、送風機制御器６をシリコンカーバイド素子を用いて構成してもよい。このようにすれば、閾値Ｘを１００℃よりも高く（例えば、Ｘ＝２００℃）設定することができるため、送風機制御器６の安定性の低下をより抑制することができる。
【００２５】
実施の形態２．
図３は、本発明の実施の形態２における空気調和装置１００の構造図を示している。図４は、本発明の実施の形態２における、空気調和装置１００の制御方法のフローチャートを示す。
なお、実施の形態２では実施の形態１との相違点を中心に説明し、実施の形態１と同一部分には、同一符号を付して説明を省略するものとする。
【００２６】
まず、図３を用いて、本実施の形態２における、空気調和装置１００の構成を説明する。空気調和装置１００には室外機１０が設けられている。室外機１０には室外機ケーシング１１が設けられている。室外機ケーシング１１内には、室外熱交換器１２、圧縮機１３、室外機制御器１４、圧縮機制御器１５、室外送風機１６が設けられている。室外機制御器１４は汎用のＣＰＵ、データバス、入出力ポート、不揮発メモリ、タイマーなどを備えた演算装置で構成されている。室外機制御器１４は、図示しない運転状態検出手段からデータを読み込み、圧縮機制御器１５に圧縮機周波数指令を送信することで、圧縮機１３に対し所定の制御を行う。室内機制御器５と室外機制御器１４は制御線１７により接続されており、各種検出手段による検出値や運転指令の送受信を行う。室内熱交換器３、膨張弁９、室外熱交換器１２、圧縮機１３は、冷媒配管１８により接続されており、冷媒回路を形成する。
【００２７】
次に、図４の空気調和装置１００の制御方法を示すフローチャートを用いて、空気調和装置１００の動作について説明する。
【００２８】
送風機制御器６に異常が発生すると放熱フィン７の温度が上昇し、上昇した放熱フィン７の温度が温度検出手段８により検出される。検出された温度値Ｔ１が、閾値Ｘ（例えばＸ＝１００℃）を超えた場合には（ステップＳ２１０でＹｅｓ）、室内機制御器５は、室内送風機４を一旦停止させた後に再度運転を開始するように制御する信号を送風機制御器６へ送信する（ステップＳ２２０）。送風機制御器６は、室内機制御器５から送信された信号に基づいて室内送風機４を制御する（ステップＳ２２０）。一方、検出された温度値Ｔ１が、閾値Ｘ（例えばＸ＝１００℃）以下の場合には（ステップＳ２１０でＮｏ）、室内送風機４の運転を継続する。
【００２９】
室内送風機４は、送風機制御器６により一旦運転が停止され、送風機制御器６により再度運転が開始される。その後、送風機制御器６の温度値Ｔ１が検出される。温度値Ｔ１が、閾値Ｘ（例えばＸ＝１００℃）を超える場合には（ステップＳ２３０でＹｅｓ）、室内機制御器５は、異常が発生していることをリモコン（図示しない）に表示する（ステップＳ２４０）。そして、室内機制御器５は、室内送風機４の運転周波数を例えば５Ｈｚ（本願発明における第２の値に相当する）下げるように制御する信号を送風機制御器６へ送信する。送風機制御器６は、室内機制御器５から送信された信号に基づいて室内送風機４を制御する（ステップＳ２５０）。一方、再度運転が開始された後に検出された温度値Ｔ１が、閾値Ｘ（例えばＸ＝１００℃）以下の場合には（ステップＳ２３０でＮｏ）、室内送風機４の運転を継続する。
【００３０】
室内送風機４の運転周波数を５Ｈｚ下げるように制御する信号が、室内機制御器５から送風機制御器６に送信されると、併せて、保護制御を開始したことを示す信号が、室内機制御器５から室外機制御器１４に送信される。
室外機制御器１４は、圧縮機１３の運転周波数を所定値だけ下げる（例えば、「現在の運転周波数×０．２」Ｈｚ下げる）ように制御する信号を圧縮機制御器１５へ送信する。圧縮機制御器１５は、室外機制御器１４から送信された信号に基づいて圧縮機１３を制御する（ステップＳ２６０）。
【００３１】
ステップＳ２５０、ステップＳ２６０で室内送風機４及び圧縮機１３の運転周波数が下げられても、温度値Ｔ１がＸ℃を上回っている場合には（ステップＳ２７０でＹｅｓ）、空気調和装置１００を異常停止させる。一方、温度値Ｔ１がＸ℃以下になった場合には（ステップＳ２７０でＮｏ）、室内送風機４の運転を継続させる。
【００３２】
なお、本実施の形態２において、室内送風機４の周波数を５Ｈｚ下げ、圧縮機１３の運転周波数を「現在の運転周波数×０．２Ｈｚ」下げる構成としたことについて説明する。
空気調和装置１００においては、送風機として、汎用誘導電動機を使用することが多いが、運転周波数を５Ｈｚ変化させることにより、室内送風機４の回転数が１００〜１５０ｒｐｍ程度低下する。ここで、標準的な送風機の回転数が１０００ｒｐｍ程度であるため、室内送風機４の回転数が１００〜１５０ｒｐｍ程度低下すると、風量が１０〜１５％低下することになる。
【００３３】
室内送風機４の風量を１０〜１５％低下させると蒸発温度が低下し、室内機ケーシング２内への結露が懸念されるため、併せて圧縮機１３の運転周波数を下げることが必要となる。室内送風機４の風量が１０〜１５％低下したとき、結露を発生させないためには、圧縮機１３の運転周波数を２０％程度下げればよいため、「現在の運転周波数×０．２Ｈｚ」下げる構成とした。
【００３４】
以上のように、本発明の実施の形態２に係る空気調和装置１００によれば、送風機制御器６に異常が生じたときに、室内送風機４の運転周波数を低下させることに加え、圧縮機１３の運転周波数を低下させる構成としている。これにより、実施の形態１に比べて、室内送風機４の低下させることができる風量の許容範囲を大きくできるため、室内送風機４の周波数をより低下させることができ、空気調和装置１００が異常停止となる可能性をより低減することができる。
【００３５】
また、本実施の形態２に係る空気調和装置１００によれば、実施の形態１と同様に、送風機制御器６に異常が生じると、室内送風機４の運転周波数を低下させることで、送風機制御器６に流れる電流を低下させ、送風機制御器６の温度を低下させている。これにより、送風機制御器６に異常が生じても、直ちに空気調和装置１００を異常停止させることなく、冷房運転を継続することができる。
【００３６】
なお、本実施の形態２でも、実施の形態１と同様に、室内送風機４の温度を検出する温度検出手段を設けてもよい。このとき、室内機制御器５は、この温度検出手段により検出された値に基づいて生成された室内送風機４を制御する信号を送風機制御器６へ送信する。送風機制御器６は、室内機制御器５から送信された信号に基づいて室内送風機４を制御する。
また、本実施の形態２でも、実施の形態１と同様に、室内送風機４の電流値を検出する電流値検出手段を設けてもよい。このとき、室内機制御器５は、この電流値検出手段により検出された値に基づいて生成された室内送風機４を制御する信号を送風機制御器６へ送信する。送風機制御器６は、室内機制御器５から送信された信号に基づいて室内送風機４を制御する。
【００３７】
実施の形態３．
実施の形態３は、実施の形態１、２とは別の保護制御の形態を示したものである。
実施の形態１、２では、送風機制御器６に異常が生じても冷房運転を継続することを前提としたもので、冷房運転を継続できない場合には空気調和装置１００を異常停止させるものである。しかしながら、空気調和装置１００の用途によっては、冷房運転を継続できない場合に空気調和装置１００を異常停止させるよりも、送風運転を継続させる方がよい場合もある。本実施の形態３は、その例を示すものである。なお、本実施の形態３における空気調和装置１００の構成は、実施の形態２における空気調和装置１００の構成（図３）と同一であるため、構成の説明を割愛する。
【００３８】
図５の空気調和装置１００の制御方法を示すフローチャートを用いて、空気調和装置１００の動作について説明する。
【００３９】
送風機制御器６に異常が発生すると放熱フィン７の温度が上昇し、上昇した放熱フィン７の温度が温度検出手段８により検出される。検出された温度値Ｔ１が、閾値Ｘ（例えばＸ＝１００℃）を超えた場合には（ステップＳ３１０でＹｅｓ）、室内機制御器５は、室内送風機４を一旦停止させた後に再度運転を開始するように制御する信号を送風機制御器６へ送信する（ステップＳ３２０）。送風機制御器６は、室内機制御器５から送信された信号に基づいて室内送風機４を制御する（ステップＳ３２０）。一方、検出された温度値Ｔ１が、閾値Ｘ（例えばＸ＝１００℃）以下の場合には（ステップＳ３１０でＮｏ）、室内送風機４の運転を継続する。
【００４０】
室内送風機４は、送風機制御器６により一旦運転が停止され、送風機制御器６により再度運転が開始される。その後、送風機制御器６の温度値Ｔ１が検出される。温度値Ｔ１が、閾値Ｘ（例えばＸ＝１００℃）を上回る場合には（ステップＳ３３０でＹｅｓ）、室内機制御器５は、異常が発生していることをリモコンに表示する（ステップＳ３４０）と共に、室内送風機４の周波数が最低周波数（本願発明における第１の周波数に相当する）を上回っているかどうかを判定する（ステップＳ３５０）。
【００４１】
室内送風機４の周波数が最低周波数を上回っていると判定された場合には（ステップＳ３５０でＹｅｓ）、室内機制御器５は、室内送風機４の運転周波数を下げる（例えば、１０Ｈｚ下げる）ように制御する信号を送風機制御器６へ送信する。送風機制御器６は、室内機制御器５から送信された信号に基づいて室内送風機４を制御する（ステップＳ３６０）。
【００４２】
室内送風機４の運転周波数を下げるように制御する信号が、室内機制御器５から送風機制御器６に送信されると、保護制御を開始したことを示す信号が、室内機制御器５から室外機制御器１４に送信される。圧縮機１３の運転周波数が最低周波数（本願発明における第２の周波数に相当する）を上回っていると判定された場合には（ステップＳ３８０でＹｅｓ）、室外機制御器１４は、圧縮機１３の運転周波数を所定値だけ下げる（例えば、「現在の運転周波数×０．２Ｈｚ」下げる）ように制御する信号を圧縮機制御器１５へ送信する。圧縮機制御器１５は、室外機制御器１４から送信された信号に基づいて圧縮機１３を制御する（ステップＳ３９０）。
【００４３】
室内送風機４及び圧縮機１３の運転周波数を下げた状態で、温度値Ｔ１がＸ℃を上回る場合には（ステップＳ４１０でＹｅｓ）、室内送風機４の周波数が最低周波数を上回っているかどうかが再度判定される（ステップＳ３５０）。室内送風機４の周波数が最低周波数を上回っていると判定された場合には（ステップＳ３５０でＹｅｓ）、室内機制御器５は、室内送風機４の運転周波数を更に下げる（例えば、１０Ｈｚ下げる）ように制御する信号を送風機制御器６へ送信する。送風機制御器６は、室内機制御器５から送信された信号に基づいて室内送風機４を制御する（ステップＳ３６０）。一方、温度値Ｔ１がＸ℃を超えない場合には、室内送風機４の運転を継続する（ステップＳ４１０でＮｏ）。
【００４４】
ステップＳ３６０が実行されると、圧縮機１３の周波数が最低周波数を上回っているかどうかが再度判定される（ステップＳ３８０）。圧縮機１３の周波数が最低周波数を上回っていると判定された場合には（ステップＳ３８０でＹｅｓ）、室外機制御器１４は、圧縮機１３の運転周波数を更に下げる（「現在の運転周波数×０．２Ｈｚ」更に下げる」）ように制御する信号を圧縮機制御器１５へ送信する。圧縮機制御器１５は、室外機制御器１４から送信された信号に基づいて圧縮機１３を制御する（ステップＳ３９０）。
【００４５】
圧縮機１３の運転周波数が最低周波数を下回った場合には（ステップＳ３８０でＮｏ）、圧縮機１３を停止させ（ステップＳ４００）、送風運転へ切り換えて、室内送風機４の運転周波数を最低周波数まで段階的に低下させていく。室内送風機４の運転周波数が最低周波数まで到達しても、温度値Ｔ１がＸ℃を超える場合は（ステップＳ３５０でＮｏ）、空気調和装置１００を異常停止とする（ステップＳ３７０）。
【００４６】
以上のように、本発明の実施の形態３に係る空気調和装置１００によれば、室内送風機４の運転周波数を最低周波数まで段階的に下げていくことで、可能な限り冷房運転を継続し、冷房運転を継続することが不可能な場合は送風運転へ移行することができるため、空気調和装置１００が異常停止となる可能性を低減することができる。
【００４７】
また、本実施の形態３によれば、実施の形態１、２と同様に、送風機制御器６に異常が生じると、室内送風機４の運転周波数を低下させることで、送風機制御器６に流れる電流を低下させ、送風機制御器６の温度を低下させている。これにより、送風機制御器６に異常が生じても、直ちに空気調和装置１００を異常停止させることなく、冷房運転を継続することができる。
【００４８】
なお、本実施の形態３でも、実施の形態１、２と同様に、室内送風機４の温度を検出する温度検出手段を設けてもよい。このとき、室内機制御器５は、この温度検出手段により検出された値に基づいて室内送風機４を制御する信号を送風機制御器６へ送信する。送風機制御器６は、室内機制御器５から送信された信号に基づいて室内送風機４を制御する。
また、本実施の形態３でも、実施の形態１、２と同様に、室内送風機４の電流値を検出する電流値検出手段を設けてもよい。このとき、室内機制御器５は、この電流値検出手段により検出された値に基づいて室内送風機４を制御する信号を送風機制御器６へ送信する。送風機制御器６は、室内機制御器５から送信された信号に基づいて室内送風機４を制御する。
【符号の説明】
【００４９】
１  室内機、２  室内機ケーシング、３  室内熱交換器、４  室内送風機、５  室内機制御器、６  送風機制御器、７  放熱フィン、８  温度検出手段、９  膨張弁、１０  室外機、１１  室外機ケーシング、１２  室外熱交換器、１３  圧縮機、１４  室外機制御器、１５  圧縮機制御器、１６  室外送風機、１７  制御線、１８  冷媒配管、１００  空気調和装置、Ｉ１、Ｉ２、Ｉ３  電流値、Ｔ１、Ｔ２、Ｔ３  温度値、Ｘ、Ｙ、Ｚ  閾値。
【図１】
0005814784.tif 000002
【図２】
0005814784.tif 000003
【図３】
0005814784.tif 000004
【図４】
0005814784.tif 000005
【図５】
0005814784.tif 000006